(57)【要約】      （修正有）【課題】イベントを安全に管理するイベント安全管理システム及び避難誘導システムを提供する。【解決手段】イベント安全管理システム１００は、来場者動向解析及び会場内動向解析を行うために入力される評価基準入力部１１０と、来場者予測、会場空間利用計画、会場及び会場周辺の来場者流動予測、会場内及び会場周辺の構造物条件等の会場適性評価要素が入力され、危険性を予測する会場適性評価部１２０と、評価基準入力部１１０に入力されている情報と、会場適性評価部１２０で予測された情報とを比較し、イベントの会場適性に関する危険性を判定する第１危険性判定部１３０と、第１危険性判定部１３０の判定内容に基づき、評価基準入力部及び会場適性評価部の入力内容が修正される修正条件入力部１４０と、修正条件入力部１４０によって修正された内容に基づき、再度危険性を判定する評価基準適合判定部１５０を含む。【選択図】図２
2020204981.tif 000002
【特許請求の範囲】
【請求項１】
イベントを安全に管理するためのイベント安全管理システムであって、
来場者動向解析及び会場内動向解析を行うために入力される評価基準入力部と、
来場者予測、会場空間利用計画、会場及び会場周辺の来場者流動予測、会場内及び会場周辺の構造物条件等の会場適性評価要素が入力され、危険性を予測する会場適性評価部と、
前記評価基準入力部に入力されている情報と、前記会場適性評価部で予測された情報とを比較し、イベントの会場適性に関する危険性を判定する第１危険性判定部と、
前記第１危険性判定部の判定内容に基づき、前記評価基準入力部及び前記会場適性評価部の入力内容が修正される修正条件入力部と、
前記修正条件入力部によって修正された内容に基づき、再度危険性を判定する評価基準適合判定部と、を含むイベント安全管理システム。
【請求項２】
常時又は定期的に来場者動向を解析し、危険性を予測する来場者実態把握部と、
前記評価基準適合判定部によって判定された情報と、前記来場者実態把握部によって把握された情報とを比較して危険性を解析し予測する危険性予測部と、
前記危険性予測部によって予測された危険性を排除するための修正措置後に、再度危険性を判定する第２危険性判定部と、
事故が起こった場合に事故発生箇所の特定と来場者の避難経路を明示する緊急対応動向把握部と、を含む請求項１記載のイベント安全管理システム。
【請求項３】
来場者流動及び滞留状況を解析し避難出口の来場者流動予測する避難誘導部と、
熱、煙、ガス等を検知するセンサ部と、
避難放送や可変式避難表示を行う通知部と、を含み、
前記避難誘導部が、前記評価基準入力部に入力されている情報と、前記来場者実態把握部によって把握された情報とから避難出口の来場者流動予測を行い、群集滞留等の危険箇所の修正措置の必要性に関する情報提供を行う請求項１又は２記載のイベント安全管理システム。
【請求項４】
イベント安全に管理するためのイベント安全管理システムに係る避難誘導システムであって、
来場者動向解析及び会場内動向解析を行うために入力される評価基準入力部と、
常時又は定期的に来場者動向を解析し、危険性を予測する来場者実態把握部と、
前記評価基準入力部に入力されている情報と、前記来場者実態把握部によって把握された情報とから避難出口の来場者流動予測を行い、群集滞留等の危険箇所の修正措置の必要性に関する情報提供を行う避難誘導部と、
熱、煙又はガスを検知するセンサ部と、
避難放送や可変式避難表示を行う通知部と、を含むイベント安全管理システムに係る避難誘導システム。
【発明の詳細な説明】
【技術分野】
【０００１】
本発明は、イベント安全管理システム、イベント安全管理プログラム及びイベント安全管理方法、並びに、大型集客施設、スタジアム又は地下街における避難誘導に関するシステム、プログラム及び方法に関する。
【背景技術】
【０００２】
近年、国内では、２００１年に明石花火大会歩道橋事故（犠牲者１１人、重軽傷者３４７人）、その他火災や爆発事故等の雑踏事故やイベント関連事故が発生している。
【０００３】
海外でも、２０１０年ドイツＬｏｖｅ  Ｐａｒａｄｅ（犠牲者２１人、重軽傷者５００人以上）、２０１４年１２月上海外灘雑踏事故（犠牲者３６人、重軽傷者４７人）等、多くの犠牲者を伴うイベント事故が発生している。
【０００４】
特許文献１では、イベント来場者の行動調査システムであり、イベント会場やブースに設けたリーダーライターでＲＦＩＤに記録されたデータを読み取るというものである。
【０００５】
来場者のイベント会場における行動のデータはこのリーダーライターを用いて収集し、データベースに行動データを格納するというものである。
【０００６】
来場者にはブースの回覧経路を提示する。そして、ＲＦＩＤタグから読み取ったデータとブースの属性データとに基づいて、そのＲＦＩＤタグに対応する来場者についてブースの回覧経路を作成するというものである。
【０００７】
特許文献２では、混雑状況提供装置であり、娯楽施設を利用者が利用する際の利用条件に従い、その娯楽施設の混雑状況の割合を測定し、該測定した混雑状況の割合を、該娯楽施設を識別するための娯楽施設情報と共に混雑状況提供装置に送信するというものである。
【０００８】
具体的には、混雑状況提供装置は、混雑状況監視装置から受信した混雑状況の割合を、娯楽施設情報に関連づけて混雑状況提供装置の具備する格納部に格納する。
【０００９】
そして、混雑状況提供装置は、混雑状況の割合と、娯楽施設情報と、を通信端末装置に送信し、通信端末装置は、混雑状況提供装置から受信した混雑状況の割合を、娯楽施設情報に関連づけて通信端末装置の具備する表示部上に表示する。
【先行技術文献】
【特許文献】
【００１０】
【特許文献１】特開２００５−１９６４５２号公報
【特許文献２】特開２００６−１４１８１２号公報
【発明の概要】
【発明が解決しようとする課題】
【００１１】
イベントの安全管理対策は、我が国では学術分野と警察や全国警備業協会で研究されているが、イベント業界での統一された安全基準は、現在確立されていない。
【００１２】
そのため、イベント安全対策は、主催者が警察と消防機関から指導を受けている場合であっても、警備担当者の経験と勘に依存している状態である。
【００１３】
したがって、その警備担当者の能力によって安全管理が左右されるという問題がある。
【００１４】
一方、大型集客施設においては、施設管理者が、火災監視である「防災センター」及び施設監視「中央管理室」に防犯設備情報監視等の上方を加えて集中管理を行っている。
【００１５】
そして、これらの多くは、警備会社に委託されているというのが現状であり、集中管理を行っている施設が、来場者の避難や誘導が必要な場合の危機管理施設であるということの位置づけが明確にされていない。
【００１６】
したがって、大型集客施設の集中管理を行っている施設は、来場者の避難や誘導が必要な場合に適切対応できないおそれがあるという問題がある。
【００１７】
スタジアムにおいては、日本サッカー協会がスタジアムの設置基準として「サッカースタジアム・ガイドライン」を作成している。
【００１８】
また、地下街においては、国土交通省都市局街路交通施設課の「地下街の安心避難対策ガイドライン」において、施設管理者がとるべき自然災害・イベント開催時の避難・誘導に関して、指揮系統の一元化と情報の収集（カメラ等による）と適切な避難誘導（避難放送と誘導等）について言及されている。
【００１９】
しかしながら、火災に関する警報や排煙装置の操作等の情報が集中する「防災センター」や「中央管理室」に関して、危機管理対策上の拠点としての役割は明記されていない。
【００２０】
また、「防災センター」や「中央管理室」は、設計上においても、火災・爆発等発生時の避難誘導に対応する総合管理室としての機能を果たす施設としての位置づけが行われていない。
【００２１】
したがって、スタジアムや地下街においても、来場者の避難や誘導が必要な場合に適切対応できないおそれがあるという問題がある。
【００２２】
また、特許文献１及び特許文献２の発明内容であってもこのような問題は解決できない。
【００２３】
本発明の主な目的は、イベントを安全に管理することである。
【００２４】
本発明の他の目的は、大型集客施設、スタジアム又は地下街において、適切な避難誘導を行うことである。
【課題を解決するための手段】
【００２５】
本発明の第１の局面に係るイベント安全管理システムは、イベントを安全に管理するためのイベント安全管理システムであって、
来場者動向解析及び会場内動向解析を行うために入力される評価基準入力部と、
来場者予測、会場空間利用計画、会場及び会場周辺の来場者流動予測、会場内及び会場周辺の構造物条件等の会場適性評価要素が入力され、危険性を予測する会場適性評価部と、
前記評価基準入力部に入力されている情報と、前記会場適性評価部で予測された情報とを比較し、イベントの会場適性に関する危険性を判定する第１危険性判定部と、
前記第１危険性判定部の判定内容に基づき、前記評価基準入力部及び前記会場適性評価部の入力内容が修正される修正条件入力部と、
前記修正条件入力部によって修正された内容に基づき、再度危険性を判定する評価基準適合判定部と、を含むイベント安全管理システムである。
【００２６】
第１危険性判定部が、評価基準入力部に入力されている情報と、会場適性評価部で予測された情報とを比較し、イベントの会場適性に関する危険性を判定し、その解離部分を修正条件入力部に入力されることにより修正されるため、雑踏事故が生じる可能性を低くすることができ、イベントを安全に管理することができる。
【００２７】
本発明の第２の局面に係るイベント安全管理システムは、第１の局面に係るイベント安全システムであって、
常時又は定期的に来場者動向を解析し、危険性を予測する来場者実態把握部と、
前記評価基準適合判定部によって判定された情報と、前記来場者実態把握部によって把握された情報とを比較して危険性を解析し予測する危険性予測部と、
前記危険性予測部によって予測された危険性を排除するための修正措置後に、再度危険性を判定する第２危険性判定部と、
事故が起こった場合に事故発生箇所の特定と来場者の避難経路を明示する緊急対応動向把握部と、を含むイベント安全管理システムである。
【００２８】
危険性予測部が、評価基準適合判定部によって判定された情報と、来場者実態把握部によって把握された情報とを比較して危険性を解析し予測し、その解離部分を第２危険性予測部によって修正することにより、雑踏事故等の事故を生じにくくすることができる。
【００２９】
本発明の第３の局面に係るイベント安全管理システムは、第１の局面又は第２の局面に係るイベント管理システムであって、
来場者流動及び滞留状況を解析し避難出口の来場者流動予測する避難誘導部と、
熱、煙、ガス等を検知するセンサ部と、
避難放送や可変式避難表示を行う通知部と、を含み、
前記評価基準入力部に入力されている情報と、前記来場者実態把握部によって把握された情報とから避難出口の来場者流動予測を行い、群集滞留等の危険箇所の修正措置の必要性に関する情報提供を行うイベント安全管理システムである。
【００３０】
前記避難誘導部が、前記評価基準入力部に入力されている情報と、前記来場者実態把握部によって把握された情報とから避難出口の来場者流動予測を行い、群集滞留等の危険箇所の修正情報を施設管理者に提供する。
【００３１】
施設管理者がこの情報（修正情報）に基づいて、別の避難出口への案内等の修正を行うことにより、避難出口付近等での雑踏事故を生じさせ難くなる。
【００３２】
本発明の第４の局面に係るイベント安全管理システムは、イベント安全に管理するためのイベント安全管理システムに係る避難誘導システムであって、
来場者動向解析及び会場内動向解析を行うために入力される評価基準入力部と、
常時又は定期的に来場者動向を解析し、危険性を予測する来場者実態把握部と、
前記評価基準入力部に入力されている情報と、前記来場者実態把握部によって把握された情報とから避難出口の来場者流動予測を行い、群集滞留等の危険箇所の修正措置の必要性に関する情報提供を行う避難誘導部と、
熱、煙、ガス等を検知するセンサ部と、
避難放送や可変式避難表示を行う通知部と、を含むイベント安全管理システムに係る避難誘導システムである。
【００３３】
スタジアムや地下街等で火災や爆発等があり来場者が避難する場合にも本発明に係る避難誘導システムを活用することができる。
【００３４】
施設管理者がこの情報（修正措置の必要性に関する情報提供）に基づいて、別の避難出口への案内等の修正を行うことにより、避難出口付近等での雑踏事故を生じさせ難くなる。
【００３５】
本発明の第５の局面に係るイベント安全管理方法は、イベントを安全に管理するためのイベント安全管理方法であって、
来場者動向解析及び会場内動向解析を行うために入力される評価基準入力工程と、
来場者予測、会場空間利用計画、会場及び会場周辺の来場者流動予測、会場内及び会場周辺の構造物条件等の会場適性評価要素が入力され、危険性を予測する会場適性評価工程と、
前記評価基準入力工程で入力されている情報と、前記会場適性評価工程で予測された情報とを比較し、イベントの会場適性に関する危険性を判定する第１危険性判定工程と、
前記第１危険性判定工程での判定内容に基づき、前記評価基準入力工程及び前記会場適性評価工程での入力内容が修正される修正条件入力工程と、
前記修正条件入力工程で修正された内容に基づき、再度危険性を判定する評価基準適合判定工程と、を含むイベント安全管理方法である。
【００３６】
第１危険性判定工程が、評価基準入力部に入力されている情報と、会場適性評価部で予測された情報とを比較し、イベントの会場適性に関する危険性を判定し、その解離部分を修正条件入力工程で入力されることにより修正されるため、雑踏事故が生じる可能性を低くすることができ、イベントを安全に管理することができる。
【００３７】
本発明の第６の局面に係るイベント安全管理方法は、第５の局面に係るイベント安全方法であって、
常時又は定期的に来場者動向を解析し、危険性を予測する来場者実態把握工程と、
前記評価基準適合判定工程で判定された情報と、前記来場者実態把握工程で把握された情報とを比較して危険性を解析し予測する危険性予測工程と、
前記危険性予測工程で予測された危険性を排除するための修正措置後に、再度危険性を判定する第２危険性判定工程と、
事故が起こった場合に事故発生箇所の特定と来場者の避難経路を明示する緊急対応動向把握工程と、を含むイベント安全管理方法である。
【００３８】
危険性予測工程が、評価基準適合判定工程で判定された情報と、来場者実態把握工程で把握された情報とを比較して危険性を解析し予測し、その解離部分を第２危険性予測工程で修正することにより、雑踏事故等の事故を生じにくくすることができる。
【００３９】
本発明の第７の局面に係るイベント安全管理システムは、第５の局面又は第６の局面に係るイベント管理工程であって、
来場者流動及び滞留状況を解析し避難出口の来場者流動予測する避難誘導工程と、
熱、煙、ガス等を検知するセンサ工程と、
避難放送や可変式避難表示を行う通知工程と、を含み、
前記評価基準入力工程で入力されている情報と、前記来場者実態把握工程で把握された情報とから避難出口の来場者流動予測を行い、群集滞留等の危険箇所の修正措置の必要性に関する情報提供を行うイベント安全管理方法である。
【００４０】
前記避難誘導工程が、前記評価基準入力工程で入力されている情報と、前記来場者実態把握工程で把握された情報とから避難出口の来場者流動予測を行い、群集滞留等の危険箇所の修正措置の必要性に関する情報提供を施設管理者に対して行う。
【００４１】
施設管理者がこの情報（修正措置の必要性に関する情報提供）に基づいて、別の避難出口への案内等の修正を行うことにより、避難出口付近等での雑踏事故を生じさせ難くなる。
【００４２】
本発明の第８の局面に係るイベント安全管理方法は、イベント安全に管理するためのイベント安全管理方法に係る避難誘導方法であって、
来場者動向解析及び会場内動向解析を行うために入力される評価基準入力工程と、
常時又は定期的に来場者動向を解析し、危険性を予測する来場者実態把握工程と、
前記評価基準入力工程で入力されている情報と、前記来場者実態把握工程で把握された情報とから避難出口の来場者流動予測を行い、群集滞留等の危険箇所の修正措置の必要性に関する情報提供を行う避難誘導工程と、
熱、煙、ガス等を検知するセンサ工程と、
避難放送や可変式避難表示を行う通知工程と、を含むイベント安全管理方法に係る避難誘導方法である。
【００４３】
スタジアムや地下街等で火災や爆発等があり来場者が避難する場合にも本発明に係る避難誘導方法を活用することができる。
【００４４】
施設管理者がこの情報（修正措置の必要性に関する情報提供）に基づいて、別の避難出口への案内等の修正を行うことにより、避難出口付近等での雑踏事故を生じさせ難くなる。
【００４５】
本発明の第９の局面に係るイベント安全管理プログラムは、イベントを安全に管理するためのイベント安全管理プログラムであって、
来場者動向解析及び会場内動向解析を行うために入力される評価基準入力処理と、
来場者予測、会場空間利用計画、会場及び会場周辺の来場者流動予測、会場内及び会場周辺の構造物条件等の会場適性評価要素が入力され、危険性を予測する会場適性評価処理と、
前記評価基準入力処理で入力されている情報と、前記会場適性評価処理で予測された情報とを比較し、イベントの会場適性に関する危険性を判定する第１危険性判定処理と、
前記第１危険性判定処理の判定内容に基づき、前記評価基準入力処理及び前記会場適性評価処理での入力内容が修正される修正条件入力処理と、
前記修正条件入力処理によって修正された内容に基づき、再度危険性を判定する評価基準適合判定処理と、を実行させるイベント安全管理プログラムである。
【００４６】
第１危険性判定処理が、評価基準入力処理で入力されている情報と、会場適性評価処理で予測された情報とを比較し、イベントの会場適性に関する危険性を判定し、その解離部分を修正条件入力処理で入力されることにより修正されるため、雑踏事故が生じる可能性を低くすることができ、イベントを安全に管理することができる。
【００４７】
本発明の第１０の局面に係るイベント安全管理プログラムは、第９の局面に係るイベント安全管理プログラムであって、
常時又は定期的に来場者動向を解析し、危険性を予測する来場者実態把握処理と、
前記評価基準適合判定処理によって判定された情報と、前記来場者実態把握処理によって把握された情報とを比較して危険性を解析し予測する危険性予測処理と、
前記危険性予測処理によって予測された危険性を排除するための修正措置後に、再度危険性を判定する第２危険性判定処理と、
事故が起こった場合に事故発生箇所の特定と来場者の避難経路を明示する緊急対応動向把握処理と、を実行させるイベント安全管理プログラムである。
【００４８】
危険性予測処理が、評価基準適合判定処理によって判定された情報と、来場者実態把握処理によって把握された情報とを比較して危険性を解析し予測し、その解離部分を第２危険性予測処理によって修正することにより、雑踏事故等の事故を生じにくくすることができる。
【００４９】
本発明の第１１の局面に係るイベント安全管理プログラムは、第９の局面又は第１０の局面に係るイベント安全管理プログラムであって、
来場者流動及び滞留状況を解析し避難出口の来場者流動予測する避難誘導処理と、
熱、煙、ガス等を検知するセンサ処理と、
避難放送や可変式避難表示を行う通知処理と、を実行させるものであり、
前記評価基準入力処理で入力されている情報と、前記来場者実態把握処理によって把握された情報とから避難出口の来場者流動予測を行い、群集滞留等の危険箇所の修正措置の必要性に関する情報提供を行うイベント安全管理プログラムである。
【００５０】
前記避難誘導処理が、前記評価基準入力処理で入力されている情報と、前記来場者実態把握処理によって把握された情報とから避難出口の来場者流動予測を行い、群集滞留等の危険箇所の修正措置の必要性に関する情報提供を施設管理者に対して行う。
【００５１】
施設管理者がこの情報（修正措置の必要性に関する情報提供）に基づいて、別の避難出口への案内等の修正を行うことにより、避難出口付近等での雑踏事故を生じさせ難くなる。
【００５２】
本発明の第１２能力局面に係るイベント安全管理プログラムは、イベント安全に管理するためのイベント安全管理プログラムに係る避難誘導プログラムであって、
来場者動向解析及び会場内動向解析を行うために入力される評価基準入力処理と、
常時又は定期的に来場者動向を解析し、危険性を予測する来場者実態把握処理と、
前記評価基準入力処理に入力されている情報と、前記来場者実態把握処理によって把握された情報とから避難出口の来場者流動予測を行い、群集滞留等の危険箇所の修正措置の必要性に関する情報提供を行う避難誘導処理と、
熱、煙、ガス等を検知するセンサ処理と、
避難放送や可変式避難表示を行う通知処理と、を実行させるイベント安全管理プログラムに係る避難誘導プログラムである。
【００５３】
スタジアムや地下街等で火災や爆発等があり来場者が避難する場合にも本発明に係る避難誘導プログラムを活用することができる。
【００５４】
施設管理者がこの情報（修正措置の必要性に関する情報提供）に基づいて、別の避難出口への案内等の修正を行うことにより、避難出口付近等での雑踏事故を生じさせ難くなる。
【図面の簡単な説明】
【００５５】
【図１】雑踏事故に至るまでの概念図。
【図２】本発明のイベント安全管理システムの実施形態に係るブロック図。
【図３】群集流動量を表した表。
【図４】経路別・手段別来場者予測項目。
【図５】来場者予測の検討細目。
【図６】会場空間利用計画検討要素（会場適性評価要素）。
【図７】本発明のイベント安全管理システムの実施形態に係るブロック図。
【図８】本発明のイベント安全管理システムの実施形態の来場者実態把握部に係るブロック図。
【図９】本発明のイベント安全管理システムの実施形態の来場者実態把握部に係るブロック図。
【図１０】本発明のイベント安全管理システムの実施形態の来場者実態把握部に係るブロック図。
【図１１】本発明のイベント安全管理システムの実施形態に係るフローチャート。
【図１２】本発明のイベント安全管理システムの実施形態の避難誘導システムに係るブロック図。
【図１３】本発明のイベント安全管理システムの避難誘導システムの実施形態に係るフローチャート。
【発明を実施するための形態】
【００５６】
以下、本発明の実施形態に関して図面を参照しながら説明する。
【００５７】
図１に示すように、雑踏事故は、不適切な来場者数予測評価、不適切な会場空間利用計画評価、不適切な来場者数流動予測評価、不適切な構造物評価、不十分な広報活動等のイベント関係者による総合検討不足によって、群衆波渦現象が発生し生じる。
【００５８】
したがって、イベントを安全に行うためには、群集滞留が生じにくいようにする必要がある。
【００５９】
（イベント安全管理システム１００のイベント企画段階でのシステム内容）
図２に示すように、本発明に係るイベント安全管理システム１００は、
解析に必要なイベント会場等の図面及び地図、来場者動向解析及び会場内動向解析を行うために入力される評価基準入力部１１０と、
来場者予測、会場空間利用計画、会場及び会場周辺の来場者流動予測、会場内及び会場周辺の構造物条件等の会場適性評価要素が入力され、危険性を予測する会場適性評価部１２０と、
評価基準入力部１１０及び会場適性評価部１２０に入力された情報に基づき、イベントの会場適性に関する危険性を判定する第１危険性判定部１３０と、
評価基準入力部１１０及び会場適性評価部１２０の入力内容が修正される修正条件入力部１４０と、
修正条件入力部１４０によって修正された内容に基づいて再度危険性を判定する評価基準適合判定部１５０と、を含む。
【００６０】
図１１には、本発明に係るイベント安全管理システム１００のフローチャートを記載する。
【００６１】
評価基準入力部１１０には、解析に必要なイベント会場、イベント周辺道路の等の構造物の図面や地図、来場者動向及び会場内動向を解析するために必要な基本数値が入力される（ステップＳ１１）。
【００６２】
評価基準入力部１１０は、入力された又は入力されているイベント会場及び周辺道路の構造物条件等によって全体図面を作成する。
【００６３】
具体的に評価基準入力部１１０には、アクセス道路幅員、橋梁、トンネル、階段、道路の狭小化、エレベータ、エスカレータの情報が入力される。
【００６４】
また、評価基準入力部１１０には、季節、参加者層当の条件による補正、後述する会場適性評価部１２０に必要な項目が入力され、会場適性評価部１２０での解析に必要な情報（数値等）が入力される（ステップＳ１２）。
【００６５】
また、評価基準入力部１１０には、群衆密度（１ｍ２内の群衆単位）、密度と速度、群集流動量（群集密度×歩行速度）等の理論値が入力される（ステップＳ１３）。
【００６６】
例えば、群集の速度の理論値は、密度３人／ｍ２では約５０ｃｍ／秒、密度４人／ｍ２では約３８ｃｍ／秒、密度５人／ｍ２では約３０ｃｍ／秒である。
【００６７】
また、階段の群集の歩行速度は、０．５ｍ／秒であり、階段の所要時間は、高さ１ｍあたり４秒である。
【００６８】
群集流動量（群集流動係数）を図３に示す。図３に示すように、自力のみで行動ができにくい人、その建物内の位置・経路などに慣れていない一般の人、その建物内の位置・経路などに慣れている心身強健な人、では群集の行動能力が異なる。
【００６９】
群集密度と圧力は、松下清夫・和泉正哲「建築物に加わる外力及び荷重に関する資料」によれば、群集密度１３人／ｍ２で約３００ｋｇ、１４人／ｍ２で約４００ｋｇ、１５人／ｍ２で約５４０ｋｇとなる。
【００７０】
なお、群集密度は薄着である夏と厚着である冬とではその値が異なる。比較分析を行った結果、群集密度は、冬の厚着の場合、夏の薄着の場合の約７０％となる。
【００７１】
このような理論値が評価基準入力部１１０に入力される。当該入力は、作業者によって入力されてもよいが、ＡＩが用いられて学習入力されてもよい。つまり、入力主体はコンピュータであってもよい。
【００７２】
入力された情報は、サーバ（図示しない）が有する記憶部（図示しない）に記憶される。
【００７３】
会場適性評価部１２０は、イベント企画段階での解析評価を行う。また、会場適性評価部１２０は、当該イベントの会場適性を解析し、危険性を評価する（ステップＳ１４）。
【００７４】
会場適性評価部１２０は、来場者数予測評価入力１２１と、会場空間利用計画評価入力１２２と、来場者流動予測入力１２３と、構造物条件評価入力１２４と、を有する。
【００７５】
来場者数予測評価入力１２１には、来場者数予測に関する評価要素（会場適性評価要素）が入力される（ステップＳ１５）。
【００７６】
また、図４に示すように、来場者数予測評価入力１２１に入力され判断される実践的な来場者数予測は、来場経路別予測方策及び来場手段別予測方策に細分化することができる。
【００７７】
来場経路別予測方策としては、高速道路利用、鉄道利用、空路・海路利用が挙げられる。
【００７８】
来場手段別予測方策としては、鉄道利用、自家用車利用、団体バス利用、バイク・自転車利用、徒歩、車いす利用等が挙げられる。
【００７９】
来場者数予測評価入力１２１には、会場内流動と会場アクセス流動との連動性に関する評価が入力される。
【００８０】
来場者数予測で重要なことは、イベント開催の周知を図るＰＲとともに行う効果測定である。
【００８１】
この効果測定が入力されることにより、会場適性評価部１２０は、来場者の地域別予測が可能となり、地域別来場者予測が行われることで、具体的に公共交通機関、車両、自転車や徒歩等の会場への来場経路と手段を利用する来場者数を予測する。
【００８２】
来場者数予測評価入力１２１には、イベントの内容、社会・経済情勢、イベント内容の人気度（例えば出演者の人気度）、過去の同様のイベントの来場者数、宣伝広告規模、会場へのアクセスの容易さ等（会場適性評価要素）入力され、会場適性評価部１２０は、その情報に基づき総合的に来場者数を予測する。
【００８３】
また、会場適性評価部１２０は、地域別来場者数予測に基づく来場経路別、来場手段別（自動車、バイク、自転車、電車、徒歩等）で来場者数を予測する。
【００８４】
また、イベント種別により、旬間別、月別、日別、時間別の予測や群集流動が、一時的か継続的か等が入力され来場者予測がされる。
【００８５】
会場適性評価部１２０は、会場地形、来場経路別予測、及び、来場手段別予測に基づく危険性評価を行う。
【００８６】
図５に示すように、来場者数予測評価入力１２１に入力される情報に基づいて、会場空間利用計画の内容（会場空間利用計画評価入力１２２に入力される情報）、会場と会場周辺の来場者流動計画の内容（来場者流動予測入力１２３に入力される情報）、会場と会場周辺の群集流動性が変化する。
【００８７】
明石海峡世紀越えイベント「ジャパン・カウントダウン２００１」では、前年度実施された「ＡＫＡＳＨＩ千年祭」を参考に、来場者数は２５,０００人と予想されたが、実際の来場者数は、予想の２．２倍である５５,０００人であった。
【００８８】
これは会場北側の住宅地住民の来場者数予測が欠落していたためと思われる。イベント会場へ自転車及び徒歩により来場可能な住民人口が考慮される必要があるが、来場者数を予測するためのファクターに必要情報が入力されることにより、会場適性評価部１２０は、より正確な来場者を予測することができる。
【００８９】
また、来場者予測は、多くのファクターがあるため、ＡＩにより学習入力されることが好ましいが、作業者によって事前に定められたファクターに基づき入力されてもよい。
【００９０】
会場空間利用計画評価入力１２２には、会場空間利用計画に関する評価要素（会場適性評価要素）が入力される（ステップＳ１６）。
【００９１】
会場適性評価部１２０は、イベント形態の特殊性を考慮した空間利用計画評価を行う。イベント形態の特殊性で危険性が異なるためである。
【００９２】
つまり、イベント内容によって参加者層の違いがあり、来場者の流動速度に影響を与えるためである。
【００９３】
例えば、興奮度の高いイベントで来場者層が若者に集中する場合と、家族参加型のように来場者の年齢層が雑踏弱者である幼児・子供・高齢者や車いす利用者等の幅広い年齢層である場合とでは、流動速度に影響を与え、誘導計画や危険箇所が異なる。
【００９４】
イベント形態は、ステージイベント等観客滞留型、フロート巡行等イベント対象通過型、イベント対象を見物する観客通過型、イベント対象と観客が混在する混在型、に大別できる。
【００９５】
図６に示す通り、会場空間利用計画評価入力１２２には、具体的には、イベント内容、イベント形態、会場レイアウト、及び、会場内収容能力（会場適性評価要素）が入力される。
【００９６】
会場適性評価部１２０は、展示物・出展物等の倒壊、火災、爆発等の危険性評価を行う。
【００９７】
また、会場適性評価部１２０は、来場者数予測に基づく会場収容能力に関する評価を行う。
【００９８】
会場空間利用計画は、会場内の群集流動及び会場出入口付近の群集流動に影響を与える。したがって、群集滞留を生じにくくさせるために必要なファクターである。
【００９９】
つまり、会場空間利用計画評価入力１２２に入力された情報に基づき、会場適性評価部１２０は、群集流動を予測し、また、危険箇所を予測する。
【０１００】
来場者流動予測入力１２３は、会場及び会場周辺の来場者流動予測要素（会場適性評価要素）が入力される（ステップＳ１７）。
【０１０１】
安全で適切な来場者誘導方策を策定するためには、会場と会場周辺の全体的な来場者流動を想定し、来場経路ごとの来場者流動上の危険性を判定し、安全で適切な来場者流動に修正することが必要である。
【０１０２】
会場適性評価部１２０は、会場地形予測、来場経路別予測、来場手段別予測に基づく危険性評価を行う。
【０１０３】
群集滞留の発生する可能性がある箇所（危険性予測）を具体的に抽出することにより、会場適性評価部１２０は、具体的な危険性評価を行うことができる。
【０１０４】
また、会場適性評価部１２０は、来場者流動予測入力１２３に入力される情報に基づいて、地域別来場者数予測と来場経路別・手段別来場者数予測をし、その予測に基づき、会場と会場周辺の全体的な群集流動を予測し、群集滞留の可能性のある来場導線を予測する。
【０１０５】
会場適性評価部１２０は、会場内流動と会場アクセス流動との連動性に関する評価をする。会場出入り設定、流動評価により円滑な来場者流動が可能となる。
【０１０６】
会場と会場周辺の群集流動計画は、会場利用計画に連動していることが好ましい。
【０１０７】
会場アクセスが限定されている閉鎖的会場では、アクセスの群集流動量及びアクセスに迂回道路の設定が可能か、逃避空間の有無が重要な条件となる。
【０１０８】
構造物条件評価入力１２４には、会場内、会場アクセス構造物の危険性に関する評価要素（会場適性評価要素）が入力される（ステップＳ１８）。
【０１０９】
会場適性評価部１２０は、構造物形態評価及び危険性予測評価をする。
【０１１０】
来場者の経路別流動予測により、会場適性評価部１２０は、階段、橋梁等での群集流動に関する具体的な危険性を予測する。
【０１１１】
会場適性評価部１２０は、会場内構造物と来場者流動に関する危険性評価を行う。
【０１１２】
これにより、会場内流動と来場者心理面から具体的な構造物の危険性が予測可能となる。
【０１１３】
会場適性評価部１２０は、会場アクセスにおける構造物の危険性評価をする。
【０１１４】
なお、多数の来場者流動と構造物形態による危険性予測は、理論値を活用した危険性予測が効果的である。
【０１１５】
会場の地形が海や高速道路、河川や鉄道等で囲まれ、会場アクセスが限定的な閉鎖的地形であり、会場アクセス道路が歩道橋やトンネル、橋梁等の閉鎖空間で通行者の逃避場所がない環境条件下で多数の犠牲者がともなう雑踏事故が生じている。
【０１１６】
したがって、これらの情報を構造物条件評価入力１２４に入力することにより、会場適性評価部１２０は、より正確な危険性を予測し評価することができる。
【０１１７】
なお、入力は、作業者によって入力されてもよいが、ＡＩが用いられて学習入力されてもよい。つまり、入力主体はコンピュータであってもよい。
【０１１８】
入力された情報は、サーバ（図示しない）が有する記憶部（図示しない）に記憶される。
【０１１９】
会場適性評価部１２０には、数値化された情報が入力されるのが好ましい。
【０１２０】
会場適性評価部１２０の危険性評価の方法は、例えば、入力された又は入力されている情報に基づいて、来場者動向のシミュレーションを行い、群集滞留が生じやすい危険性箇所を評価する。
【０１２１】
第１危険性判定部１３０では、評価基準入力部１１０に入力された情報と、会場適性評価部１２０で予測された情報とを比較解析を行い、危険性を判定する（ステップＳ１９）。
【０１２２】
具体的には、例えば、会場適性評価部１２０は、会場内の来場者流動計画と公共交通機関の利便性、駐車場の有無、最寄り駅の乗降者能力、及び、来場手段別の拠点から会場へのアクセスまでの全体的な来場者流動予測を行う。
【０１２３】
そして、第１危険性判定部１３０は、評価基準入力部１１０に入力された情報と、会場適性評価部１２０で予測された情報との比較解析を行い、危険性予測を行い、群集滞留が生じやすい箇所を指摘する。
【０１２４】
修正条件入力部１４０では、第１危険性判定部１３０によって判定された危険性予測に基づいて、会場適性評価部１２０に入力された会場適性条件の情報の修正を行う（ステップＳ２０）。
【０１２５】
つまり、修正条件入力部１４０では、第１危険性判定部１３０によって判定された危険判定要素の修正を行う。
【０１２６】
例えば、危険性予測に基づき、群集滞留が生じやすい箇所に対して、迂回路を設定する修正を行うことにより、群集滞留が生じにくくなる。
【０１２７】
評価基準適合判定部１５０では、修正条件入力部１４０に入力された情報に基づいて、再度危険性の解析を行い、評価基準適合判定を行う（ステップＳ２１）。
【０１２８】
また、評価基準適合判定部１５０では、会場出入口の流動判定も行う。
【０１２９】
なお、評価基準適合判定部１５０で判定された危険性予測に基づいて、再度修正条件入力部１４０により会場適性評価部１２０に入力された会場適性条件の情報を修正し、再度危険性予測を行ってもよい。
【０１３０】
以上がイベント安全管理システム１００のイベント企画段階での評価基準適合判定である。
【０１３１】
（イベント安全管理システム１００によるイベント実施段階でのシステム内容）
次に、イベント安全管理システム１００によるイベント実施段階でのシステム内容を説明する。
【０１３２】
イベント実施段階でのイベント安全管理システム１００は、イベント企画段階の危険性予測と、来場者実態の剥離に関する解析を行い、実際のイベントでの危険性を早期に把握して、必要な措置に関して注意喚起するものである。
【０１３３】
イベント安全管理システム１００は、来場者実態把握部１６０と、危険性予測部１７０と、第２危険性判定部１８０と、緊急対応動向把握部１９０と、を有する。
【０１３４】
つまり、イベント実施段階でのイベント安全管理システム１００は、常時、会場内及び会場周辺の来場者動向（人員、流動滞留）の解析を行い、危険性を予測するものである。
【０１３５】
来場者実態把握部１６０は、会場内流動及び滞留実態、建築物内流動及び滞留実態、会場周辺の来場者流動及び滞留実態を解析し、危険性を予測する（全体動向解析）。
【０１３６】
また、来場者実態把握部１６０は、危険箇所別で解析をし危険性を予測する。
【０１３７】
来場者実態把握部１６０は、画像取得装置２００と、プログラム制御により動作するデータ処理装置３００と、情報を記憶する記憶装置４００とを含む。
【０１３８】
画像取得装置２００は、カメラ等の撮像装置の出力や、ビデオ機器（防犯カメラ等）の映像装置の出力から画像を取得する。
【０１３９】
記憶装置４００は、局所領域群記憶部４１０を備える。局所領域群記憶部４１０は、画像の中に配置される個々の局所領域の位置およびサイズを記憶する。
【０１４０】
各局所領域の位置およびサイズは、予め定められている。基本的に、複数の局所領域によって画像全体が覆われるように、個々の局所領域の位置およびサイズが定められる。
【０１４１】
しかし、局所領域を定める態様は、上記の例に限定されず、画像内で群衆の種類の識別対象となる領域に対してのみ、複数の局所領域が定められていてもよい。
【０１４２】
また、局所領域同士が重なるように、局所領域が定められてもよい。局所領域のサイズは、後述の滞留群衆検出部３１０や群衆向き推定部３２０等の機能に合わせて決定される。
【０１４３】
以下、画像の中で局所領域に該当する部分の画像を局所領域画像と記す。
【０１４４】
データ処理装置３００は、滞留群衆検出部３１０と、群衆向き推定部３２０と、群衆流量推定部３３０と、を備える。
【０１４５】
滞留群衆検出部３１０は、予め定められた各局所領域によって（換言すれば、局所領域群記憶部４１０に記憶されている各局所領域の位置およびサイズによって）、画像（画像取得装置２００が取得した画像）から特定される各局所領域画像を対象にして、人の滞留度と、局所領域内の人数とを推定する。
【０１４６】
人の滞留度は、人の滞留状態を示す値である。また、局所領域内の人数は、群衆の密度を示す値である。滞留群衆検出部３１０は、その２つの値に基づいて、各局所領域の中から、滞留した群衆を示す局所領域を検出する。
【０１４７】
滞留群衆検知部３１０は、防犯カメラ等のカメラの映像から群衆を人の塊として認識し、混雑状況（混雑度・人数）をリアルタイムで検知する。
【０１４８】
滞留群衆検知部３１０は、群衆を人の塊として認識するため、人が重なり合う混雑した環境でも群衆の人数を高精度に推定する。
【０１４９】
滞留群衆検知部３１０には、予めシミュレーションによって、人同士の重なりを含む群衆パッチ画像を大量に（数百万枚規模）生成して学習させている（ディープラーニング技術）。
【０１５０】
図９は、滞留群衆検出部３１０の構成例を示すブロック図である。滞留群衆検出部３１０は、滞留状態推定部３１１と、人数推定部３１２と、局所領域検出部３１３とを備える。
【０１５１】
滞留状態推定部３１１は、予め定められた各局所領域によって、画像取得装置２００が取得した画像から特定される各局所領域画像を対象にして、人の滞留度を推定する。
【０１５２】
人の滞留度の推定方法の例を以下に示す。滞留状態推定部３１１は、時刻が異なり場所が同じである局所領域画像から、画像パターンの特徴量の類似度や、動きベクトルや、フレーム間差分の量を算出してもよい。
【０１５３】
これらの値は、局所領域に示されている人の動きの程度を表していると言える。画像パターンの特徴量の類似度は、類似度が大きければ滞留度が大きくなるという性質を持っている。
【０１５４】
動きベクトルは、動きベクトルの大きさが小さければ滞留度が大きくなるという性質を持っている。フレーム間差分の量は、その値が小さければ滞留度が大きくなるという性質を持っている。
【０１５５】
滞留状態推定部３１１は、これらの性質を用いて、算出した値に基づいて人の滞留度を推定する。
【０１５６】
あるいは、時刻が異なり場所が同じである局所領域画像が入力されると人の滞留度を出力する推定器を予め学習によって得ていてもよい。
【０１５７】
滞留状態推定部３１１は、時刻が異なり場所が同じである局所領域画像をこの推定器に入力することによって、人の滞留度の推定値を求めてもよい。
【０１５８】
上記の推定器の学習には、人が滞留している場合における時刻の異なる２枚の局所領域画像と、人が滞留していない場合における時刻の異なる２枚の局所領域画像と、それらの各場合の人の滞留状態を示す情報とを用いればよい。この学習は、局所領域ベースの学習であると言える。
【０１５９】
あるいは、局所領域に対応する実空間における人の動きを検出する動きセンサを設け、滞留状態推定部３１１は、動きセンサの検出結果から、局所領域画像が示す人の滞留度を推定してもよい。
【０１６０】
滞留度の推定方法は、例示した上記の方法以外の方法であってもよい。
【０１６１】
人数推定部３１２は、予め定められた各局所領域によって、画像取得装置２００が取得した画像から特定される各局所領域画像を対象にして、局所領域内の人数を推定する。
【０１６２】
人数推定部３１２は、学習によって得られた推定器を用いて、局所領域内の人数を推定してもよい。例えば、局所領域画像が入力されると局所領域内の人数を出力する推定器を予め学習によって得ておく。
【０１６３】
人数推定部３１２は、局所領域画像をこの推定器に入力することによって、局所領域内の人数の推定値を求めてもよい。
【０１６４】
上記の推定器の学習には、複数の人数で構成される群衆を示す局所領域画像と、その局所領域画像に対応する人数の情報とを用いればよい。この学習は、局所領域ベースの学習であると言える。
【０１６５】
局所領域内の人数の推定方法は、例示した上記の方法以外の方法であってもよい。
【０１６６】
局所領域検出部３１３は、滞留状態推定部３１１によって推定された人の滞留度と、人数推定部３１２によって推定された局所領域内の人数とを用いて、予め定められた各局所領域の中から、滞留した群衆を示す局所領域を全て検出する。
【０１６７】
具体的には、人の滞留度が所定の閾値より大きく、かつ、局所領域内の人数が所定の閾値より大きい局所領域を全て検出する。なお、滞留度に関する閾値と、人数に関する閾値は、別々に定められているものとする。
【０１６８】
群衆向き推定部３２０は、滞留群衆検出部３１０によって検出された局所領域に対応する局所領域画像における群衆の向きを推定し、その群衆の向きをその局所領域に付加する。
【０１６９】
具体的には、群衆向き推定部３２０は、群衆の向きを示す情報を局所領域に付加する。
【０１７０】
群衆の向きは、例えば、画像中の局所領域において、その局所領域に像が含まれる人々の大多数の顔が向いている向きであってもよい。
【０１７１】
群衆の向きは、例えば、画像中の局所領域において、その局所領域に像が含まれる人々の大多数の体が向いている向きであってもよい。
【０１７２】
群衆の向きは、例えば、画像中の局所領域において、その局所領域に像が含まれる人々の大多数が注目している向きであってもよい。
【０１７３】
群衆の向きは、群衆の向きを推定する推定器の学習を行う人に意図によって決められていてもよい。群衆の向きは、以上の例に限られない。
【０１７４】
図１０は、群衆向き推定部３２０の構成例を示すブロック図である。群衆向き推定部３２０は、向き推定部３２１と、データ付加部３２２とを備える。
【０１７５】
向き推定部３２１は、滞留群衆検出部３１０によって検出された局所領域に対応する局所領域画像における群衆の向きを推定する。
【０１７６】
向き推定部３２１は、学習によって得られた推定器を用いて、群衆の向きを推定してもよい。例えば、局所領域画像が入力されるとその局所領域画像における群衆の向きを出力する推定器を予め学習によって得ておく。
【０１７７】
向き推定部３２１は、滞留群衆検出部３１０によって検出された局所領域に対応する局所領域画像をこの推定器に入力することによって、群衆の向きを推定してもよい。
【０１７８】
上記の推定器の学習には、複数の多様な向きの人で構成される群衆を示す局所領域画像と、その局所領域画像に対応する代表的な群衆の向きを示すベクトルや角度とを用いればよい。この学習は、局所領域ベースの学習であると言える。
【０１７９】
群衆の向きの推定方法は、例示した上記の方法以外の方法であってもよい。
【０１８０】
データ付加部３２２は、推定された群衆の向きを示す情報を、対応する局所領域に付加する。
【０１８１】
群衆流量推定部３３０は、画像から得られた群衆の人数と動き（移動向きと速さ）の情報（群衆向き推定部３２０）から、人の流れ（人の位置、移動速度、数）を確率的に推定する。
【０１８２】
また、群衆流量推定部３３０は、画面内に設定した線を通過する人の流れを集計し、方向別の通過人数を算出する。
【０１８３】
危険性予測部１７０は、イベント企画段階と実態との剥離を解析し危険性を予測する。
【０１８４】
危険性予測部１７０は、評価基準適合判定部１５０によって判定された情報と、来場者実態把握部１６０によって把握された実態（情報）とを比較して、危険性を解析し予測する。
【０１８５】
危険性予測部１７０は、危険性が予測される箇所ごとに３０分前は「予告」、２０分前は「注意」、１０分前は「警告」が発信される。
【０１８６】
イベント主催者は、危険性予測部１７０で予測された危険性を排除するように安全対策修正を行う。
【０１８７】
例えば、会場アクセスの来場者数予測段階での流動量予測より実際の来場者流動量が極端に多い場合は群集滞留が生じる危険性が高くなる。
【０１８８】
この場合、会場へのアクセス迂回路を設定し、迂回路の距離を長くする措置をとることにより、群集滞留が生じる危険性を回避できる。
【０１８９】
第２危険性判定部１８０では、修正措置後の危険性を判定する。危険性予測に基づく修正措置後の来場者動向解析で危険性解析情報を提供するためである。
【０１９０】
第２危険性判定部１８０では、修正措置後の流動実態を解析し、修正措置による指摘された危険箇所以外の場所への影響実態を解析する。
【０１９１】
つまり、第２危険性判定部１８０は、修正措置実施後の来場者動向の実態を把握して、危険性判定情報を提供する。
【０１９２】
また、第２危険性判定部１８０は、修正箇所以外の箇所に影響を及ぼす来場者動向の解析を行う。
【０１９３】
第２危険性判定部１８０は、来場者の帰路動向実態を解析し、危険性を予測する。
【０１９４】
第２危険性判定部１８０は、評価基準適合判定部１５０によって判定された情報と、来場者の帰路動向実態との剥離に関する危険性を解析し、危険性解析情報を提供する。
【０１９５】
第２危険性判定部１８０は、会場内の来場者流動と入退出実態動向の解析を行う。
【０１９６】
第２危険性判定部１８０は、修正箇所とは別の箇所に影響を及ぼす影響動向解析を行う。
【０１９７】
緊急対応動向把握部１９０は、来場者実態把握部１６０を活用した実態把握をする。
【０１９８】
緊急対応動向把握部１９０は、事故発生箇所の特定と来場者流動動向の解析を行う。
【０１９９】
緊急対応動向把握部１９０は、事故発生箇所確定により、来場者の避難経路を明示する。
【０２００】
緊急対応動向把握部１９０は、救急救命経路（緊急車両経路）の明示を行う。
【０２０１】
緊急対応動向把握部１９０は、要救護者の搬送先、人員把握状況を明示する。
【０２０２】
緊急対応動向把握部１９０は、実施計画及び評価基準適合判定部１５０での情報に基づき、現場活動人員の把握をする。
【０２０３】
（事故発生後の避難誘導システム５００）
避難誘導システム５００は、集中避難行動防止と分散誘導を図るためのシステムである。
【０２０４】
スタジアムや地下街の場合、施設が大きく数万人以上の多数の来場者がある他、施設が複雑なため避難誘導にあたり全体像を把握することが困難である。
【０２０５】
また、避難にあったって収容人数に比して避難経路、避難開口部が狭小であり、かつ、階段が多く、常に全ての開口部が使用できる保証がない。
【０２０６】
また、スタジアムや地下街は、隣接建物、交通機関、大型集客施設等と接続された複合的施設の場合も多数認められる。
【０２０７】
また、避難経路、開口部に人が集中するため高密度化してパニックになり、転倒等の事故が起こりやすい。
【０２０８】
このような問題を解決するために、避難誘導システム５００は、施設全体の避難実態を分析して、閉鎖的空間であってもブロック別に空きスペースに誘導することにより、円滑な避難・誘導を可能とする。
【０２０９】
図１２に示すように、イベント安全管理システム１００における避難誘導システム５００は、評価基準入力部１１０と、避難出口の来場者流動と滞留状況を解析する避難誘導部５１０と、来場者実態把握部１６０と、センサ部５２０（熱センサ５２１、煙センサ５２２、ガスセンサ）と、避難放送や可変式避難表示を行う通知部５３０を備える。
【０２１０】
図１３には、避難誘導システム５００のフローチャートを示す。
【０２１１】
評価基準入力部１１０には施設設計図、出入口の群集流動基本数値、及び、外部避難条件を入力する。
【０２１２】
そして、避難誘導部５１０は、施設設計（評価基準入力部１１０に入力された又はされている情報）に基づく避難口の来場者流動予測の解析を行うため、避難出口の来場者流動と滞留状況を常時解析する（ステップＳ３１）。
【０２１３】
次に、避難誘導部５１０は、分散避難誘導に効果的なブロック分割をするため、設計と流動理論に基づく避難ブロック設定の解析し避難出口の来場者流動予測する（ステップＳ３２）。
【０２１４】
また、避難誘導部５１０は、ブロックごとの発火点を想定し、通知部５３０を通して、他のブロックの避難方向を通知し、避難放送と可変式避難表示を行う。なお、避難放送は総合管理室の施設管理者が行っても良い。
【０２１５】
来場者実態把握部１６０は、来場者の避難流動のリアルタイム解析を行う（ステップＳ３３）。
【０２１６】
避難誘導部５１０は、熱センサ５２１、煙センサ５２２又はガスセンサ５２３等のセンサ部５２０が作動した場合、その作動位置を確認する（ステップＳ３４）。
【０２１７】
具体的には、避難誘導部５１０は、評価基準入力部１１０に入力されてる図面、来場者実態把握部１６０の画像取得装置２００からセンサ部５２０が作動している位置の映像を表示部（図示しない）に表示させ、センサ作動位置を確認する（ステップＳ３５）。
【０２１８】
次に、避難誘導部５１０は、ブロック別の避難方向を解析する（ステップＳ３６）。
【０２１９】
次に、避難誘導部５１０は、通知部５３０を通して、ブロック別の避難方向指示放送と可変式避難表示を行う（ステップＳ３７）。
【０２２０】
避難誘導部５１０は、避難出口の混雑状況の把握と管理者の修正措置の必要性に関する情報提供後の流動解析を行うため、来場者の避難流動をリアルタイムで解析する（ステップＳ３８）。
【０２２１】
具体的には、避難誘導部５１０は、避難出口の混雑状況の解析と誘導修正を行う。
【０２２２】
つまり、避難誘導部５１０は、評価基準入力部１１０に入力されている情報と、来場者実態把握部１６０によって把握された情報とから避難出口の来場者流動予測を行う。
【０２２３】
そして、避難誘導部５１０は、施設管理者に対して群集滞留等の危険箇所の修正措置の必要性に関する情報提供を行う。
【０２２４】
危険箇所には、群集滞留以外にも火事や爆発等の事故も含まれる概念である。
【０２２５】
また、避難誘導部５１０は、誘導修正後の来場者の分散流動解析を行う。
【０２２６】
そして、避難誘導部５１０は、通知部５３０を介して避難方向指示放送と可変避難表示を行う（ステップＳ３９）。
【０２２７】
なお、来場者実態把握部１６０と避難誘導部５１０は同一であってもよい。
【０２２８】
本発明は、その趣旨を逸脱しない範囲で種々の改良、修正、又は変形を加えた態様でも実施できる。
【符号の説明】
【０２２９】
１００…イベント安全管理システム
１１０…評価基準入力部
１２０…会場適性評価部
１３０…第１危険性判定部
１４０…修正条件入力部
１５０…評価基準適合判定部
１６０…来場者実態把握部
１７０…危険性予測部
１８０…第２危険性判定部
１９０…緊急対応動向把握部
２００…画像取得装置
３００…データ処理装置
４００…記憶装置
５００…避難誘導システム
５１０…避難誘導部
５２０…センサ部
５３０…通知部
【図１】
2020204981.tif 000003
【図２】
2020204981.tif 000004
【図３】
2020204981.tif 000005
【図４】
2020204981.tif 000006
【図５】
2020204981.tif 000007
【図６】
2020204981.tif 000008
【図７】
2020204981.tif 000009
【図８】
2020204981.tif 000010
【図９】
2020204981.tif 000011
【図１０】
2020204981.tif 000012
【図１１】
2020204981.tif 000013
【図１２】
2020204981.tif 000014
【図１３】
2020204981.tif 000015
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
イベントを安全に管理するためのイベント安全管理システムであって、
来場者動向解析及び会場内動向解析を行うために入力される評価基準入力部と、
来場者予測、会場空間利用計画、会場及び会場周辺の来場者流動予測、会場内及び会場周辺の構造物条件を含む会場適性評価要素が入力され、構造物形態評価、並びに、会場内構造物及び来場者流動の危険性予測評価をする会場適性評価部と、
前記評価基準入力部に入力されている情報と、前記会場適性評価部で予測された前記構造物形態評価及び前記危険性予測評価の情報とを比較し、イベントの会場適性に関する会場内構造物及び来場者流動の危険性を判定する第１危険性判定部と、
前記第１危険性判定部の判定内容に基づき、前記評価基準入力部及び前記会場適性評価部の入力内容が修正される修正条件入力部と、
前記修正条件入力部によって修正された内容に基づき、再度前記危険性を判定する評価基準適合判定部と、を含むイベント安全管理システム。
【請求項２】
前記来場者流動予測が、会場内の来場者流動計画と、公共交通機関の利便性と、駐車場の有無と、公共交通機関の最寄り駅の乗降者能力と、来場手段別の拠点から会場へのアクセスと、に基づいて全体的な予測を行う請求項１記載のイベント安全管理システム。
【請求項３】
常時又は定期的に来場者動向を解析し、危険性を予測する来場者実態把握部と、
前記評価基準適合判定部によって判定された情報と、前記来場者実態把握部によって把握された情報とを比較して危険性を解析し予測する危険性予測部と、
前記危険性予測部によって予測された危険性を排除するための修正措置後に、再度危険性を判定する第２危険性判定部と、
事故が起こった場合に事故発生箇所の特定と来場者の避難経路を明示する緊急対応動向把握部と、を含む請求項１又は２記載のイベント安全管理システム。
【請求項４】
来場者流動及び滞留状況を解析し避難出口の来場者流動予測する避難誘導部と、
熱、煙、ガスを含む検知をするセンサ部と、
避難放送や可変式避難表示を行う通知部と、を含み、
前記避難誘導部が、前記評価基準入力部に入力されている情報と、前記来場者実態把握部によって把握された情報とから避難出口の来場者流動予測を行い、群集滞留等の危険箇所の修正措置の必要性に関する情報提供を行う請求項３記載のイベント安全管理システム。
【請求項５】
来場者動向解析及び会場内動向解析を行うために入力される評価基準入力部と、
常時又は定期的に来場者動向を解析し、危険性を予測する来場者実態把握部と、
前記評価基準入力部に入力されている情報と、前記来場者実態把握部によって把握された情報とから避難出口の来場者流動予測を行い、群集滞留等の危険箇所の修正措置の必要性に関する情報提供を行う避難誘導部と、
熱、煙又はガスを検知するセンサ部と、
避難放送や可変式避難表示を行う通知部と、を含む請求項１乃至４のいずれか１項記載のイベント安全管理システムに係る避難誘導システム。
【請求項６】
イベントを安全に管理するためのイベント安全管理システムサーバを用いた安全管理方法であって、
前記サーバが来場者動向解析及び会場内動向解析を行うために入力される評価基準入力工程と、
来場者予測、会場空間利用計画、会場及び会場周辺の来場者流動予測、会場内及び会場周辺の構造物条件を含む会場適性評価要素が入力され、前記サーバが構造物形態評価、並びに、会場内構造物及び来場者流動の危険性予測評価をする会場適性評価工程と、
前記サーバが、前記評価基準入力工程で入力されている情報と、前記会場適性評価工程で予測された前記構造物形態評価及び前記危険性予測評価の情報とを比較し、イベントの会場適性に関する会場内構造物及び来場者流動の危険性を判定する第１危険性判定工程と、
前記第１危険性判定工程での判定内容に基づき、前記評価基準入力工程及び前記会場適性評価工程での入力内容が修正される修正条件入力工程と、
前記修正条件入力工程で修正された内容に基づき、前記サーバが、再度前記危険性を判定する評価基準適合判定工程と、を含むイベント安全管理方法。
【請求項７】
イベントを安全に管理するためのイベント安全管理プログラムであって、
来場者動向解析及び会場内動向解析を行うために入力される評価基準入力処理と、
来場者予測、会場空間利用計画、会場及び会場周辺の来場者流動予測、会場内及び会場周辺の構造物条件等の会場適性評価要素が入力され、構造物形態評価、並びに、会場内構造物及び来場者流動の危険性予測評価をする会場適性評価処理と、
前記評価基準入力処理で入力されている情報と、前記会場適性評価処理で予測された前記構造物形態評価及び前記危険性予測評価の情報とを比較し、イベントの会場適性に関する会場内構造物及び来場者流動の危険性を判定する第１危険性判定処理と、
前記第１危険性判定処理の判定内容に基づき、前記評価基準入力処理及び前記会場適性評価処理での入力内容が修正される修正条件入力処理と、
前記修正条件入力処理によって修正された内容に基づき、再度前記危険性を判定する評価基準適合判定処理と、を実行させるイベント安全管理プログラム。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
イベントを安全に管理するためのイベント安全管理システムであって、
来場者動向解析及び会場内動向解析を行うために入力される評価基準入力部と、
来場者予測、会場空間利用計画、会場及び会場周辺の来場者流動予測、会場内及び会場周辺の構造物条件を含む会場適性評価要素が入力され、構造物形態評価、並びに、会場内構造物及び来場者流動の危険性予測評価をする会場適性評価部と、
前記評価基準入力部に入力されている情報と、前記会場適性評価部で予測された前記構造物形態評価及び前記危険性予測評価の情報とを比較し、イベントの会場適性に関する会場内構造物及び来場者流動の危険性を判定する第１危険性判定部と、
前記第１危険性判定部の判定内容に基づき、前記評価基準入力部及び前記会場適性評価部の入力内容が修正される修正条件入力部と、
前記修正条件入力部によって修正された内容に基づき、再度前記危険性を判定する評価基準適合判定部と、を含むイベント安全管理システム。
【請求項２】
前記来場者流動予測が、会場内の来場者流動計画と、公共交通機関の利便性と、駐車場の有無と、公共交通機関の最寄り駅の乗降者能力と、来場手段別の拠点から会場へのアクセスと、に基づいて全体的な予測を行う請求項１記載のイベント安全管理システム。
【請求項３】
常時又は定期的に来場者動向を解析し、危険性を予測する来場者実態把握部と、
前記評価基準適合判定部によって判定された情報と、前記来場者実態把握部によって把握された情報とを比較して危険性を解析し予測する危険性予測部と、
前記危険性予測部によって予測された危険性を排除するための修正措置後に、再度危険性を判定する第２危険性判定部と、
事故が起こった場合に事故発生箇所の特定と来場者の避難経路を明示する緊急対応動向把握部と、を含む請求項１又は２記載のイベント安全管理システム。
【請求項４】
来場者流動及び滞留状況を解析し避難出口の来場者流動予測する避難誘導部と、
熱、煙、ガスを含む検知をするセンサ部と、
避難放送や可変式避難表示を行う通知部と、を含み、
前記避難誘導部が、前記評価基準入力部に入力されている情報と、前記来場者実態把握部によって把握された情報とから避難出口の来場者流動予測を行い、群集滞留等の危険箇所の修正措置の必要性に関する情報提供を行う請求項３記載のイベント安全管理システム。
【請求項５】
来場者動向解析及び会場内動向解析を行うために入力される評価基準入力部と、
常時又は定期的に来場者動向を解析し、危険性を予測する来場者実態把握部と、
前記評価基準入力部に入力されている情報と、前記来場者実態把握部によって把握された情報とから避難出口の来場者流動予測を行い、群集滞留等の危険箇所の修正措置の必要性に関する情報提供を行う避難誘導部と、
熱、煙又はガスを検知するセンサ部と、
避難放送や可変式避難表示を行う通知部と、を含む請求項１乃至４のいずれか１項記載のイベント安全管理システムに係る避難誘導システム。
【請求項６】
イベントを安全に管理するためのイベント安全管理システムサーバを用いた安全管理方法であって、
前記サーバが来場者動向解析及び会場内動向解析を行うために入力される評価基準入力工程と、
来場者予測、会場空間利用計画、会場及び会場周辺の来場者流動予測、会場内及び会場周辺の構造物条件を含む会場適性評価要素が入力され、前記サーバが構造物形態評価、並びに、会場内構造物及び来場者流動の危険性予測評価をする会場適性評価工程と、
前記サーバが、前記評価基準入力工程で入力されている情報と、前記会場適性評価工程で予測された前記構造物形態評価及び前記危険性予測評価の情報とを比較し、イベントの会場適性に関する会場内構造物及び来場者流動の危険性を判定する第１危険性判定工程と、
前記第１危険性判定工程での判定内容に基づき、前記評価基準入力工程及び前記会場適性評価工程での入力内容が修正される修正条件入力工程と、
前記修正条件入力工程で修正された内容に基づき、前記サーバが、再度前記危険性を判定する評価基準適合判定工程と、を含むイベント安全管理方法。
【請求項７】
イベントを安全に管理するためのイベント安全管理プログラムであって、
来場者動向解析及び会場内動向解析を行うために入力される評価基準入力処理と、
来場者予測、会場空間利用計画、会場及び会場周辺の来場者流動予測、会場内及び会場周辺の構造物条件を含む会場適性評価要素が入力され、構造物形態評価、並びに、会場内構造物及び来場者流動の危険性予測評価をする会場適性評価処理と、
前記評価基準入力処理で入力されている情報と、前記会場適性評価処理で予測された前記構造物形態評価及び前記危険性予測評価の情報とを比較し、イベントの会場適性に関する会場内構造物及び来場者流動の危険性を判定する第１危険性判定処理と、
前記第１危険性判定処理の判定内容に基づき、前記評価基準入力処理及び前記会場適性評価処理での入力内容が修正される修正条件入力処理と、
前記修正条件入力処理によって修正された内容に基づき、再度前記危険性を判定する評価基準適合判定処理と、を実行させるイベント安全管理プログラム。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
イベントを安全に管理するためのイベント安全管理システムであって、
来場者動向解析及び会場内動向解析を行うために入力される評価基準入力部と、
来場者予測、会場空間利用計画、会場及び会場周辺の来場者流動予測、会場内及び会場周辺の構造物条件を含む会場適性評価要素が入力され、構造物形態評価、並びに、会場内構造物及び来場者流動の危険性予測評価をする会場適性評価部と、
前記評価基準入力部に入力されている情報と、前記会場適性評価部で予測された前記構造物形態評価及び前記危険性予測評価の情報とを比較し、イベントの会場適性に関する会場内構造物及び来場者流動の危険性を判定する第１危険性判定部と、
前記第１危険性判定部の判定内容に基づき、前記評価基準入力部及び前記会場適性評価部の入力内容が修正される修正条件入力部と、
前記修正条件入力部によって修正された内容に基づき、再度前記危険性を判定する評価基準適合判定部と、を含むイベント安全管理システム。
【請求項２】
前記来場者流動予測が、会場内の来場者流動計画と、公共交通機関の利便性と、駐車場の有無と、公共交通機関の最寄り駅の乗降者能力と、来場手段別の拠点から会場へのアクセスと、に基づいて全体的な予測を行う請求項１記載のイベント安全管理システム。
【請求項３】
常時又は定期的に来場者動向を解析し、危険性を予測する来場者実態把握部と、
前記評価基準適合判定部によって判定された情報と、前記来場者実態把握部によって把握された情報とを比較して危険性を解析し予測する危険性予測部と、
前記危険性予測部によって予測された危険性を排除するための修正措置後に、再度危険性を判定する第２危険性判定部と、
事故が起こった場合に事故発生箇所の特定と来場者の避難経路を明示する緊急対応動向把握部と、を含む請求項１又は２記載のイベント安全管理システム。
【請求項４】
来場者流動及び滞留状況を解析し避難出口の来場者流動予測する避難誘導部と、
熱、煙、ガスを含む検知をするセンサ部と、
避難放送や可変式避難表示を行う通知部と、を含み、
前記避難誘導部が、前記評価基準入力部に入力されている情報と、前記来場者実態把握部によって把握された情報とから避難出口の来場者流動予測を行い、群集滞留を含む危険箇所の修正措置の必要性に関する情報提供を行う請求項３記載のイベント安全管理システム。
【請求項５】
来場者動向解析及び会場内動向解析を行うために入力される評価基準入力部と、
常時又は定期的に来場者動向を解析し、危険性を予測する来場者実態把握部と、
前記評価基準入力部に入力されている情報と、前記来場者実態把握部によって把握された情報とから避難出口の来場者流動予測を行い、群集滞留を含む危険箇所の修正措置の必要性に関する情報提供を行う避難誘導部と、
熱、煙又はガスを検知するセンサ部と、
避難放送や可変式避難表示を行う通知部と、を含む請求項１乃至４のいずれか１項記載のイベント安全管理システムに係る避難誘導システム。
【請求項６】
イベントを安全に管理するためのイベント安全管理システムサーバを用いた安全管理方法であって、
前記サーバが来場者動向解析及び会場内動向解析を行うために入力される評価基準入力工程と、
来場者予測、会場空間利用計画、会場及び会場周辺の来場者流動予測、会場内及び会場周辺の構造物条件を含む会場適性評価要素が入力され、前記サーバが構造物形態評価、並びに、会場内構造物及び来場者流動の危険性予測評価をする会場適性評価工程と、
前記サーバが、前記評価基準入力工程で入力されている情報と、前記会場適性評価工程で予測された前記構造物形態評価及び前記危険性予測評価の情報とを比較し、イベントの会場適性に関する会場内構造物及び来場者流動の危険性を判定する第１危険性判定工程と、
前記第１危険性判定工程での判定内容に基づき、前記評価基準入力工程及び前記会場適性評価工程での入力内容が修正される修正条件入力工程と、
前記修正条件入力工程で修正された内容に基づき、前記サーバが、再度前記危険性を判定する評価基準適合判定工程と、を含むイベント安全管理方法。
【請求項７】
イベントを安全に管理するためのイベント安全管理プログラムであって、
来場者動向解析及び会場内動向解析を行うために入力される評価基準入力処理と、
来場者予測、会場空間利用計画、会場及び会場周辺の来場者流動予測、会場内及び会場周辺の構造物条件を含む会場適性評価要素が入力され、構造物形態評価、並びに、会場内構造物及び来場者流動の危険性予測評価をする会場適性評価処理と、
前記評価基準入力処理で入力されている情報と、前記会場適性評価処理で予測された前記構造物形態評価及び前記危険性予測評価の情報とを比較し、イベントの会場適性に関する会場内構造物及び来場者流動の危険性を判定する第１危険性判定処理と、
前記第１危険性判定処理の判定内容に基づき、前記評価基準入力処理及び前記会場適性評価処理での入力内容が修正される修正条件入力処理と、
前記修正条件入力処理によって修正された内容に基づき、再度前記危険性を判定する評価基準適合判定処理と、を実行させるイベント安全管理プログラム。